(57)【要約】【課題】スポーツ用具バッグの内容物への外部環境による影響を抑制したスポーツ用具バッグを得る。【解決手段】テニス用具等を収納する用具収納隔室を画成している可撓性の細長い本体１２であって、少なくとも１個の開閉可能な開口２４と、少なくとも８０％の反射率を有する外向きの反射バリア層３２と、断熱層４２とを設けた本体１２を具える構成としたスポーツ用具バッグ１０を提供する。本体１２には、頂部１６と、底部１４と、これら頂部１６及び底部１４を連結する側部１８を設け、反射バリア層３２を側部１８及び頂部１６の少なくとも一部に延在させその少なくとも一部がバッグ１０の外側から見えるようにする。また、本体に吸湿素子、冷却素子又は加熱素子を取外し可能に取付けて、温度、湿度を維持又は調整することもできる。【選択図】　　　　図１
2004000547.tif 000002
【特許請求の範囲】
【請求項１】
用具収納隔室を画成する可撓性の細長い本体を具え、この本体は、少なくとも１個の開閉可能な開口と、少なくとも８０％の反射率を有する外向きの反射バリア層であって、この反射バリア層の少なくとも一部が外側から見えるようにした反射バリア層とを有するものとして構成したことを特徴とするスポーツ用具バッグ。
【請求項２】
前記反射バリア層を、紫外線が前記本体を透過することを抑制する構成とした請求項１に記載のスポーツ用具バッグ。
【請求項３】
前記反射バリア層は、拡散反射材料、鏡面反射材料及び再帰反射材料のうちの１つを具えるものとする請求項１に記載のスポーツ用具バッグ。
【請求項４】
前記本体には、頂部と、底部と、これら頂部及び底部を連結する側部とを設け、また、前記反射バリア層は、この本体の側部及び頂部の少なくとも一方の内部に延在する構成とした請求項１に記載のスポーツ用具バッグ。
【請求項５】
さらに、前記本体に断熱材料の層を設けた請求項１に記載のスポーツ用具バッグ。
【請求項６】
前記断熱材料の層を、片面バブルラップ、両面バブルラップ、圧縮性発泡体及びこれらの組合わせからなる群より選択した請求項５に記載のスポーツ用具バッグ。
【請求項７】
前記本体は、内面を有し、この内面の少なくとも一部を反射性材料により被覆した請求項１に記載のスポーツ用具バッグ。
【請求項８】
さらに、前記本体に連結され、この本体の用具収納隔室内で長手方向に延在する少なくとも１個の細長い仕切りを具えるものとする請求項１に記載のスポーツ用具バッグ。
【請求項９】
さらに、前記本体に取外し可能に固定した吸湿素子を具えるものとする請求項１に記載のスポーツ用具バッグ。
【請求項１０】
前記吸湿素子を、使い捨て乾燥パック及び再活性化可能な乾燥パックからなる群より選択した請求項９に記載のスポーツ用具バッグ。
【請求項１１】
前記本体に、前記吸湿素子を保持するためのポケットを設けた請求項９に記載のスポーツ用具バッグ。
【請求項１２】
さらに、前記本体に取外し可能に固定した冷却素子を具える請求項１に記載のスポーツ用具バッグ。
【請求項１３】
前記冷却素子を、氷パック、氷代用パック、小型の手動活性化冷却パック及びこれらの組合わせからなる群より選択した請求項１２に記載のスポーツ用具バッグ。
【請求項１４】
前記本体は、少なくとも２個の用具収納隔室を画成し、また、これら用具収納隔室の少なくとも１個が防湿性である請求項１に記載のスポーツ用具バッグ。
【請求項１５】
前記反射バリア層は、少なくとも１００％の反射率を有する請求項１に記載のスポーツ用具バッグ。
【請求項１６】
前記反射バリア層は、再帰反射性材料を具える請求項１に記載のスポーツ用具バッグ。
【請求項１７】
前記再帰反射材料は、少なくとも１００の再帰反射係数を有する請求項１６に記載のスポーツ用具バッグ。
【請求項１８】
ラケット、バット、他の細長いスポーツ道具などを運ぶためのスポーツ用具バッグにおいて、
このスポーツ用具バッグは、
外部表面と、内部表面と、少なくとも１個の開閉可能な開口とを有する細長い柔軟な本体であって、少なくとも２個の細長いスポーツ道具を収容するのに充分な寸法とした用具収納隔室を画成し、前記内部表面の少なくとも一部に、少なくとも８０％の反射率を有する反射バリア層を設けた本体を具えるものとすることを特徴とするスポーツ用具バッグ。
【請求項１９】
さらに、前記本体に断熱材料の層を設けた請求項１８に記載のスポーツ用具バッグ。
【請求項２０】
前記断熱材料の層を、片面バブルラップ、両面バブルラップ、圧縮性発泡体及びこれらの組合わせからなる群より選択した請求項１９に記載のスポーツ用具バッグ。
【請求項２１】
さらに、前記本体に連結され、この本体の用具収納隔室内で長手方向に延在する少なくとも１個の細長い仕切りを設けた請求項１８に記載のスポーツ用具バッグ。
【請求項２２】
さらに、前記本体に取外し可能に固定した吸湿素子を具えるものとする請求項１８に記載のスポーツ用具バッグ。
【請求項２３】
前記吸湿素子を、使い捨て乾燥パック及び再活性化可能な乾燥パックからなる群より選択した請求項２２に記載のスポーツ用具バッグ。
【請求項２４】
さらに、前記本体に取外し可能に固定した冷却素子を具える請求項１８に記載のスポーツ用具バッグ。
【請求項２５】
前記冷却素子を、氷パック、氷代用パック、小型の手動活性化冷却パック及びこれらの組合わせからなる群より選択した請求項２４に記載のスポーツ用具バッグ。
【請求項２６】
前記反射バリア層は、少なくとも１００％の反射率を有する請求項１８に記載のスポーツ用具バッグ。
【請求項２７】
前記反射バリア層は、拡散反射材料、鏡面反射材料及び再帰反射材料のうちの１つを具えるものとする請求項１８に記載のスポーツ用具バッグ。
【請求項２８】
前記再帰反射材料は、少なくとも１００の再帰反射係数を有する請求項２７に記載のスポーツ用具バッグ。
【請求項２９】
ラケット及び関連するテニス用具を運ぶためのテニス用具バッグにおいて、
このテニス用具バッグは、
外部表面と、内部表面と、少なくとも１個の開閉可能な開口とを有する細長い柔軟な本体であって、少なくとも１個のテニスラケットを収納するのに充分な寸法の用具収納隔室を画成し、かつ断熱材料の層を設けた本体と、
このバッグの用具収納隔室内に取外し可能に保持される、吸湿素子、冷却素子及び加熱素子の内の少なくとも１個とを
具えるものとすることを特徴とするテニス用具バッグ。
【請求項３０】
前記断熱材料の層を、片面バブルラップ、両面バブルラップ、圧縮性発泡体及びこれらの組合わせからなる群より選択した請求項２９に記載のテニス用具バッグ。
【請求項３１】
前記バッグを少なくとも２個のテニスラケットを収容するような寸法とし、さらに、前記本体に、この本体に連結され本体の用具収納隔室内で長手方向に延在する少なくとも１個の細長い仕切りを設けた請求項２９に記載のテニス用具バッグ。
【請求項３２】
前記吸湿素子を、使い捨て乾燥パック及び再活性化可能な乾燥パックからなる群より選択した請求項２９に記載のテニス用具バッグ。
【請求項３３】
前記冷却素子を、氷パック、氷代用パック、小型の手動活性化冷却パック及びこれらの組合わせからなる群より選択した請求項２９に記載のテニス用具バッグ。
【請求項３４】
前記加熱素子を、再活性化可能な発熱パック及び化学的発熱パックのうちの１つとした請求項２９に記載のテニス用具バッグ。
【請求項３５】
前記本体の外側表面の少なくとも１０％に、露出した反射バリア層を設け、この反射バリア層が少なくとも８０％の反射率を有する請求項２９に記載のテニス用具バッグ。
【請求項３６】
前記本体の内部表面の少なくとも一部を反射性材料により被覆した請求項２９に記載のテニス用具バッグ。
【発明の詳細な説明】
【０００１】
【発明の属する技術分野】
本発明は、広くスポーツ用具バッグに関するものである。特に、本発明は、スポーツ用具バッグの内容物に対する太陽光、湿気及び熱の影響を排除又は大幅に低減するよう構成したスポーツ用具ラケットに関するものである。
【０００２】
【従来の技術】
スポーツ用具バッグは周知のものである。スポーツ用具バッグは、代表的には、側面が柔らかいダッフルタイプのバッグであり、様々な形状及び寸法で形成されている。テニスラケット用バッグのような多くのスポーツバッグは、１個以上のテニスラケットと、それに関連するボール、グリップ等の道具とを収容するように特に構成されている。スポーツ用具バッグは、しばしば、複数の隔室、並びに１個以上の開口、把手及びストラップを具える。競技でのプレイでは、プレーヤー、特にテニスプレーヤーは、スポーツ用具バッグを用いてスポーツ用具をそのスポーツの開催地まで運ぶ。これらのスポーツ用具バッグは、代表的にはプレイする領域の近くに置かれ、しばしば太陽光、湿気及び熱のような環境状態に完全に曝される。
【０００３】
既存のスポーツ用具バッグには幾つかの欠点がある。多くのスポーツイベントは屋外で行われるため、スポーツ用具バッグは、しばしば、太陽光、湿気及び熱を含む屋外の天候状況の影響を長時間に亘って受ける。このようにスポーツ用具バッグが露出されていると、ある種のスポーツグッズ、特にスポーツ用具バッグに収納してあるスポーツグッズが損傷を受けたり、その使用寿命が短くなったりする。例えば、紫外線、熱又は湿気に長時間又は過酷に曝されると、テニスラケットのグリップ及びストリングが損傷を受けたり、その寿命が短くなったりする。特に、ラケットのストリングのプレイ特性は、１回の試合の間であっても、極端な環境条件に曝されることにより悪影響を受ける。既存のスポーツ用具バッグは、典型的には、紫外線、熱、冷気、湿気による有害な影響に対して、バッグ内にあるスポーツグッズを殆ど又は全く保護していない。
【０００４】
【発明が解決しようとする課題】
本発明の目的はスポーツ用具バッグを得るにある。
太陽光及び紫外線がスポーツ用具バッグを透過するのを抑制したスポーツ用具バッグが必要とされている。また、バッグの中の湿気を吸収又は減少する軽量なスポーツ用具バッグも必要とされている。周囲温度より低い温度でバッグの内容物を保持するよう構成したスポーツ用具バッグも必要とされているものである。さらに、容易に再活性化又は交換できる、吸湿性、自己冷却及び／又は自己加熱バッグを提供すると有利である。
【０００５】
【課題を解決するための手段】
この目的を達成するため本発明のスポーツ用具バッグは、用具収納隔室を画成する可撓性の細長い本体を具え、この本体は、少なくとも１個の開閉可能な開口と、少なくとも８０％の反射率を有する外向きの反射バリア層であって、この反射バリア層の少なくとも一部が外側から見えるようにした反射バリア層とを有するものとして構成したことを特徴とする。
【０００６】
本発明の主たる実施例によれば、ラケット、バット、他の細長いスポーツ道具などを運ぶためのスポーツ用具バッグは、細長い可撓性の本体を具える。この本体は、外部表面と、内部表面と、少なくとも１個の開閉可能な開口とを有する。この本体は、少なくとも２個の細長いスポーツ道具を収容するのに充分な寸法とした用具収納隔室を画成する。内部表面の少なくとも一部には、少なくとも８０％の反射率を有する反射バリア層を設ける。
【０００７】
本発明の他の好適な実施例によれば、ラケット及び関連するテニス用具を運ぶためのテニス用具バッグは、細長い可撓性の本体と、１個以上の吸湿素子と、冷却素子と、加熱素子とを具える。この本体は、外部表面と、内部表面と、少なくとも１個の開閉可能な開口とを有する。この本体は、少なくとも１個のテニスラケットを収納するのに充分な寸法の用具収納隔室を画成する。この本体は、断熱材料の層を具える。吸湿素子、加熱素子又は冷却素子の各々は、バッグの用具収納隔室内に取外し可能に保持される。
【０００８】
【発明の実施の形態】
次に図面につき本発明の好適な実施の形態のスポーツ用具バッグを説明する。図において、同一の参照番号は同じ部分を参照するものである。
図１及び２を参照して説明すると、スポーツ用具バッグの好ましい実施例を参照番号１０で全体的に示す。このバッグ１０は、軽量で柔軟性のある本体１２を具え、この本体１２は、底壁部１４と、頂壁部１６と、これら底壁部１４及び頂壁部１６を連結する少なくとも１個の側壁部１８とを有する。このバッグ１０は、様々なスポーツ用具を保持し、ユーザーがバッグ１０とその内容物とを容易に収容又は運搬することができ、またバッグ１０の内容物に対する太陽光、湿気及び温度変化を含む環境の悪影響を低減するように構成する。このバッグ１０は、さらに、少なくとも１個の把手２０と、少なくとも１個のストラップ２２と、少なくとも１個の開閉可能な開口２４とを設ける。把手２０は、本体１２から外方に突出させてユーザーがバッグ１０を容易に握ることができるようにする。ストラップ２２は、通常の調整可能なショルダーストラップとするのが好ましい。開閉可能な開口２４は、釈放可能な留め具、好適にはジッパーとする。他の釈放し得る留め具として、スナップ、フック及びループファスナ、ボタン並びに他の通常の留め具を用いることもできる。
【０００９】
図１につき説明すると、側壁部１８には、この側壁部１８の少なくとも一部に亘って延在する露出反射性側部２６を設け、この露出反射性側部２６を、側壁部１８の残りの部分に亘って延在する被覆側部２８に連結する。この露出反射性側部２６は、側壁部１８の外側表面領域の少なくとも５％に亘って延在すると好ましい。露出反射性側部２６には、外側反射バリア層３２上に延在する外側開口メッシュ層３０を設ける。外側開口メッシュ層３０には、外側反射バリア層３２をバッグ１０の外側から見えるようにする複数の開口を設ける。本体１２には、また、英数字及び／又は図形的な標章３４を設けることもできる。他の好適な実施例では、側壁部１８に、材料層によりほぼ被覆した反射性側部を設ける。
【００１０】
図３に付き説明すると、本体１２の、底壁部１４、頂壁部１６及び側壁部１８は、少なくとも１個の用具収納隔室を画成する。好適な実施例においては、バッグ１０には、さらに、長手方向に延在する仕切り壁３６を設け、この仕切り壁３６を、それぞれ、第１端部及び第２端部で底壁部１４及び頂壁部１６に連結し、互いに対向する第１及び第２用具収納隔室３８及び４０を画成する。仕切り壁３６は、本体１２の付加的な支持体をなし、かつ第１収納隔室３８の内容物が第２収納隔室４０の内容物と衝突するのを防止する。特に好適な実施例では、第１及び第２収納隔室３８及び４０は、１個又はそれ以上のテニスラケットの形状にほぼ適合するような輪郭とする。他の好適な実施例においては、本体及び収納隔室は、少なくとも１個のラケットを全体的に収容する寸法とすることができる。特に好適な実施例においては、本体１２は、２，３，４又は６個のラケット及び他のテニスに関連する用具を収容する輪郭とする。他の実施例では、他の本体形状及び寸法を用いることができる。好適な特別な実施例においては、少なくとも１個の収納隔室３８及び４０を防湿性とする。他の実施例では、バッグ１０に、例えばテニスラケットのようなスポーツ用具を複数個並置して収納するための１個又はそれ以上の副次的な仕切り（図示せず）を設けることもできる。
【００１１】
図３及び４につき説明すると、本体１２の壁部には、少なくとも１層の反射性材料の層と、少なくとも１層の断熱材料の層とを設ける。好適な実施例では、バッグ１０の少なくとも１個の壁部、例えば、側壁部１８に、外側開口メッシュ層３０と被覆側部２８とにより形成された最も外側の層と、外側反射層３２と、少なくとも１個の断熱層４２と、内側反射バリア層４４と、内側開口メッシュ層４６とを設ける。外側反射層３２には、外向きの反射性表面を設け、少なくとも外側開口メッシュ層３０の内側に配置するが、被覆側部２８の内側にも配置すると好ましい。断熱層４２は、外側反射層３２の内側に配置する。内側反射バリア層４４は、断熱層４２の内側表面に隣接して配置し、内向きの反射性表面を設ける。内側開口メッシュ層４６は、内側反射材料層４４の内側表面に亘って延在させる。
【００１２】
内側及び外側開口メッシュ層４６及び３０は、可撓性の格子構造であり、この格子構造により、内側及び外側メッシュ層４６及び３０の開口を通してその下にある反射性材料層が見えるようになっている。これら内側及び外側メッシュ層４６及び３０は、それぞれ周辺部を有し、この周辺部をその下の内側及び外側反射層４４及び３２にそれぞれ連結する、好ましくは縫い付け、それにより、内側及び外側メッシュ層４６及び３０の中心部分が内側及び外側反射層４４及び３２に堅固に固定されないようにする。他の実施例では、内側及び外側メッシュ層の周辺部及び中心部分で内側及び外側反射層に固定する。内側及び外側メッシュ層４６及び３０は、柔軟な材料、好適にはナイロンから形成する。他の好適な実施例においては、メッシュ層３０及び４６は、弾性材料、プラスチック又は織物材料から形成することができる。これらメッシュ層３０及び４６は、反射層３２及び４４との対比がはっきりするような暗い色で形成するのが好ましく、これにより、バッグ１０に独特な訴求力のある外観を与える。代案として、内側及び外側メッシュ層４６及び３０は、１色以上の色の任意の組み合わせで形成することもできる。他の好適な実施例においては、バッグ１０は、内側及び外側メッシュ層４６及び３０の一方又は双方とも省いて形成することができる。
【００１３】
内側及び外側反射層４４及び３２は、反射性材料の可撓性のシートとする。内側及び外側反射層４４及び３２は、少なくともこれらの周辺部を断熱層４２と、内側及び外側メッシュ層４６及び３０とに連結する。これら反射層３２及び４４は、太陽光及び紫外（ＵＶ）放射が本体１２を通過することを防止する。反射層３２及び４４は、少なくとも８０％、好ましくは少なくとも１００％の反射率を有する。他の好適な実施例では、本体１２に、内側反射層のみ又は外側反射層のみを形成することができる。
【００１４】
外側及び内側の反射層４４及び３２は、反射した光が入射ビームの方向から拡散して反射する拡散反射性材により構成することができる。拡散反射は、光が粗い表面に当たったときに起こるもので、ビームを全ての方向に散乱させる。
【００１５】
他の好適な実施例では、反射層３２及び４４は、微視的に見て平滑な外面を有する鏡状（鏡面）の材料により構成し、この材料では、反射ビームの角度は入射ビームの角度と等しく、また双方の光線は単一平面にある。鏡状の反射は、光が、平滑な又は光沢のある表面に当たったときに起こる。鏡状の反射性材料を用いると、反射率が１００％を越え得る。特に好適な実施例においては、反射性材料は、アルミ箔タイプの反射性材料とする。
【００１６】
他の好適な実施例では、反射層３２及び４４は、再帰反射性の材料とすることができ、この場合、再帰反射された光線は入射ビームが入射したのと同じ方向に戻る。再帰反射性の材料は、光を反射する複数個の小さなガラスビーズ、プリズム又はキューブコーナー素子を含む。再帰反射性の材料を使用すると、反射率は１００％を越え得る。特に、反射層３２及び４４を、ミネソタ州セントポールの３Ｍ社により製造されている３Ｍ（登録商標）Ｓｃｏｔｃｈｌｉｔｅ（登録商標）のような再帰反射性の材料から形成すると、再帰反射の輝度即ち反射係数は、１００から７００ｃｄ／ｌｕｘ／ｍ２　の範囲となる。再帰反射係数は、受光角が−４度、観察角が０．２度で測定する。特に好適な実施例においては、用いて７００ｃｄ／ｌｕｘ／ｍ２　の再帰反射係数を有する３Ｍ（ＴＭ）Ｓｃｏｔｃｈｌｉｔｅ（ＴＭ）の高光沢反射性材料、製品番号６１６０を使用することができる。
【００１７】
外側反射層３２は、太陽光及びＵＶのエネルギーを反射し、それによりＵＶエネルギーがバッグ１０に入るのを防止する、又はバッグ１０に入るＵＶエネルギーの量を著しく減少する。バッグ１０の用具収納隔室３８及び４０内へのＵＶエネルギーの進入を減少又は排除することにより、バッグ１０の内容物をＵＶ放射の有害な照射から防ぐことができる。外側反射層３２は、バッグ１０を通る輻射熱の伝導を制限することにも役立ち、従って、バッグ１０内の温度上昇を制限するのにも役立つ。内側反射層４４は、バッグ１０が開かれた際に、用具収納隔室３８及び４０を明るくし、このことによりバッグ１０内への用具の挿入又はバッグ１０からの用具の取り出しを容易とする。内側反射層４４の材料は、バッグ１０に独特の感じの良い体裁を与えるものでもある。さらに、内側反射層４４は、バッグ１０内の温度変化を抑制する付加的断熱層として作用し得る。
【００１８】
断熱層４２は、低い熱伝導率を有する軽量断熱材料の可撓性のシートとする。特に好適な実施例では、断熱層４２は、「バブルラップ（ｂｕｂｂｌｅ−ｗｒａｐ）」のタイプの材料とする。このバブルラップ材料は、２個のシート材料を互いに熱的に封止して複数の気泡部を形成したものである。断熱層４２には、片面又は両面に気泡部を設けたバブルラップを設けることができる。他の好適な実施例では、断熱層４２を、多孔質の圧縮性ポリエチレン発泡体ような断熱性発泡体、セルロース断熱材又は他の軽量断熱材料とすることができる。断熱層４２は、本体１２を通る熱伝導を低減し、従って、バッグ１０を通る熱エネルギーの損失を防止又は低減する。断熱層４２は、外部環境からバッグ１０内外への熱エネルギーの透過を阻止することにより温度変動を制限するのに役立つ。
【００１９】
仕切り壁３６には、上述した側壁部構造体と類似の構造体を設けることができる。他の好適な実施例においては、上述した側壁部構造体を、本体１２の、側壁部１８、頂壁部１６及び底壁部１４の１個以上、又は本体１２の任意の部分に配置することができる。
【００２０】
図３に付き説明すると、バッグ１０には、また、本体１２の内面に固定した少なくとも１個の内部ポケット５０を設け、この内部ポケット５０は、吸湿素子５２、冷却素子５４又は加熱素子５６を取外し可能に収容し且つ保持する。バッグ１０には、複数のポケットと、１個以上の吸湿素子５２、冷却素子５４及び加熱素子５６を設けることができる。他の好適な実施例では、吸湿素子５２、冷却素子５４又は加熱素子５６を、例えば、フック及びループコネクタ、又は迅速に釈放できる連結部を具えたストラップのような他の手段によりバッグ１０内に保持する。
【００２１】
吸湿素子５２は、本体１２の用具収納隔室３８及び４０内の水分を吸収し、湿気を減少するよう構成した軽量で小型の携帯型ユニットである。吸湿素子５２は乾燥容器とするのが好ましい。特に好ましい実施例では、吸湿素子５２は、再活性化可能な乾燥容器とするが、これには、例えば、ニューヨーク州バッファローのマルチソープテクノロジイズ（Ｍｕｌｔｉｓｏｒｂ　Ｔｅｃｈｎｏｌｏｇｉｅｓ）社により製造されているＤＲＩＣＡＮ（Ｒ）の登録商標名で商業的に入手可能な、電子レンジで再生可能な乾燥カートリッジのようなものがある。他の好適な実施例では、乾燥剤は、使い捨て、再活性化可能又は再活性化不能なものとすることができ、これを、耐破壊性のあるバッグ、シリンダ又は他の通常のパッケージに包装することができる。他の好適な実施例では、他の携帯型の通常の吸湿素子、例えば小型の手動で活性化する乾燥パックのようなものを用いることができる。
【００２２】
冷却素子５４は、バッグの第１及び第２用具収納隔室３８及び４０内の温度を下げる又は維持するように構成した小型の携帯型ユニットである。冷却素子５４は、フリーザパックとするのが好ましい。特に好適な実施例では、冷却素子は、オハイオ州ウースターのラバーメイド（Ｒｕｂｂｅｒｍａｉｄ）社により製造され、ＢＬＵＥ　ＩＣＥ（Ｒ）の登録商標名で販売されている氷代用バッグとする。バッグ１０の第１及び第２用具収納隔室３８及び４０内の温度を下げる又は維持することにより、バッグ１０の内容物を、周囲温度よりも低い温度で保持することができ、深刻な高熱又は長期にわたる熱による潜在的なダメージから保護することができる。
【００２３】
加熱素子５６は、バッグの第１及び第２用具収納隔室３８及び４０内の温度を上げる又は維持するように構成した小型の携帯型ユニットである。加熱素子５６は、可撓性の再活性化可能な発熱パックとするのが好ましく、この発熱熱パックは、電子レンジのような熱源からのエネルギーを受けこれを保持し、通常の熱伝導作用でバッグ１０の領域３８及び４０内に時間を掛けて熱エネルギーを放出する物質を含む。特に好ましい実施例では、発熱素子は、ノースカロライナ州アッシュボロのヴェスチャー（　Ｖｅｓｔｕｒｅ）社から商業的に入手可能なＭＩＣＲＯＣＯＲＥ（Ｒ）の登録商標名で販売されているものとする。バッグ１０の用具収納隔室３８及び４０内の温度を維持又は上昇することにより、バッグ１０の内容物を、外部の周囲温度よりも暖かい温度で維持することができ、深刻な冷気又は長期にわたる冷気による潜在的なダメージから保護することができる。他の好適な実施例においては、発熱素子は、携帯型の電池動作のヒータ、化学的発熱パック又は他の通常の携帯型加熱素子とすることができる。
【００２４】
図５〜８に付き説明すると、他の好適な実施例のスポーツ用具バッグ全体を参照番号１００で示す。スポーツ用具バッグ１００は、バッグ１０とほぼ同じものであり、バッグ１０の特徴を全て含む。バッグ１００は、バッグ１０より多くのスポーツ用具を収容するような異なる構成としており、スポーツ用具としては、スポーツ衣類、ボール、保護用具、並びに、例えばテニスラケット及びボールバットのような細長いスポーツ道具が含まれるが、これに限定されるものではない。さらに、バッグ１００には、このバッグ１００を容易に運ぶために１組のホイール１０２と、第２把手１０４とを設ける。バッグ１００の外側反射層３２は、バッグ１００の各側部及び各端部から外側に見えるようになっている。
【００２５】
本発明の好ましい実施例を説明してきたが、当業者であればこれら実施例に対して多数の変更を加えることができるであろう。例えば、本発明をバックパックや他の用具バッグの形態に適用することができることである。従って、本発明は前述の記載に限定されるものでなく、特許請求の範囲及び精神によってのみ限定されるものである。
【図面の簡単な説明】
【図１】本発明の好ましい実施例によるスポーツ用具バッグの側面図である。
【図２】図１のスポーツ用具バッグの頂面図である。
【図３】分解図として示した吸湿素子、冷却素子及び加熱素子を有する図１のスポーツ用具バッグを前方から見た一部断面とする斜視図である。
【図４】図２の４−４線上の、スポーツ用具バッグの断面図である。
【図５】本発明の他の好ましい実施例によるスポーツ用具バッグの側面図である。
【図６】図５のスポーツ用具バッグの頂面図である。
【図７】図５のスポーツ用具バッグの一方の端部から見た線図的端面図である。
【図８】図５のスポーツ用具バッグの他方の端部から見た線図的端面図である。
【符号の説明】
１０　バッグ
１２　本体
１４　底壁部
１６　頂壁部
１８　側壁部
２０　ハンドル
２２　ストラップ
２４　開口
２６　反射性側部
２８　被覆側部
３０　外側開口メッシュ層
３２　外側反射層
３６　仕切り壁
３８　第１収納隔室
４０　第２収納隔室
４２　断熱層
４４　内側反射層
４６　内側開口メッシュ層
５０　内部ポケット
５２　吸湿素子
５４　冷却素子
５６　加熱素子
１００　バッグ
１０２　ホイール
１０４　第２把手
【図１】
2004000547.tif 000003
【図２】
2004000547.tif 000004
【図３】
2004000547.tif 000005
【図４】
2004000547.tif 000006
【図５】
2004000547.tif 000007
【図６】
2004000547.tif 000008
【図７】
2004000547.tif 000009
【図８】
2004000547.tif 000010